【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
捕食性ダニ種、好ましくは、Ｍｅｓｏｓｔｉｇｍａｔｉｄダニ種又はＰｒｏｓｔｉｇｍａｔｉｄダニ種から選択される捕食性ダニ種の個体群と、
少なくとも１種のＡｓｔｉｇｍａｔｉｄダニ種の個体を含む、前記捕食性個体のための食物源と、ここで、前記Ａｓｔｉｇｍａｔｉｄ個体の少なくとも一部分が不動化されており、
場合により、Ａｓｔｉｇｍａｔｉｄ個体に適した食物物質と、
場合により、前記ダニ種個体のための担体と
を含むダニ組成物であって、不動化されたＡｓｔｉｇｍａｔｉｄ個体、及び場合により、Ａｓｔｉｇｍａｔｉｄ個体のための必要に応じた食物源が、真菌抑制剤に接触されており、前記真菌抑制剤が、食真菌性ダニ種または抗真菌性滲出液を産生するダニ種から選択される真菌抑制ダニ個体群を含み、前記真菌抑制ダニ個体群が、好ましくはＡｓｔｉｇｍａｔｉｄ種から選択される、ダニ組成物。
【請求項２】
前記捕食性ダニ種が、
ｉ）Ｐｈｙｔｏｓｅｉｉｄａｅ、例えば、
Ａｍｂｌｙｓｅｉｉｎａｅ亜科、例えば、Ａｍｂｌｙｓｅｉｕｓ属、例えば、Ａｍｂｌｙｓｅｉｕｓ  ａｎｄｅｒｓｏｎｉ、Ａｍｂｌｙｓｅｉｕｓ  ａｅｒｉａｌｉｓ、Ａｍｂｌｙｓｅｉｕｓ  ｓｗｉｒｓｋｉｉ、Ａｍｂｌｙｓｅｉｕｓ  ｈｅｒｂｉｃｏｌｕｓ又はＡｍｂｌｙｓｅｉｕｓ  ｌａｒｇｏｅｎｓｉｓ、Ｅｕｓｅｉｕｓ属、例えば、Ｅｕｓｅｉｕｓ  ｆｉｎｌａｎｄｉｃｕｓ、Ｅｕｓｅｉｕｓ  ｈｉｂｉｓｃｉ、Ｅｕｓｅｉｕｓ  ｏｖａｌｉｓ、Ｅｕｓｅｉｕｓ  ｖｉｃｔｏｒｉｅｎｓｉｓ、Ｅｕｓｅｉｕｓ  ｓｔｉｐｕｌａｔｕｓ、Ｅｕｓｅｉｕｓ  ｓｃｕｔａｌｉｓ、Ｅｕｓｅｉｕｓ  ｔｕｌａｒｅｎｓｉｓ、Ｅｕｓｅｉｕｓ  ａｄｄｏｅｎｓｉｓ、Ｅｕｓｅｉｕｓ  ｃｏｎｃｏｒｄｉｓ、Ｅｕｓｅｉｕｓ  ｈｏ又はＥｕｓｅｉｕｓ  ｃｉｔｒｉ、Ｎｅｏｓｅｉｕｌｕｓ属、例えば、Ｎｅｏｓｅｉｕｌｕｓ  ｂａｒｋｅｒｉ、Ｎｅｏｓｅｉｕｌｕｓ  ｃａｌｉｆｏｒｎｉｃｕｓ、Ｎｅｏｓｅｉｕｌｕｓ  ｃｕｃｕｍｅｒｉｓ、Ｎｅｏｓｅｉｕｌｕｓ  ｌｏｎｇｉｓｐｉｎｏｓｕｓ、Ｎｅｏｓｅｉｕｌｕｓ  ｗｏｍｅｒｓｌｅｙｉ、Ｎｅｏｓｅｉｕｌｕｓ  ｉｄａｅｕｓ、Ｎｅｏｓｅｉｕｌｕｓ  ａｎｏｎｙｍｕｓ、Ｎｅｏｓｅｉｕｌｕｓ  ｐａｓｐａｌｉｖｏｒｕｓ、Ｎｅｏｓｅｉｕｌｕｓ  ｒｅｄｕｃｔｕｓ又はＮｅｏｓｅｉｕｌｕｓ  ｆａｌｌａｃｉｓ、Ａｍｂｌｙｄｒｏｍａｌｕｓ属、例えば、Ａｍｂｌｙｄｒｏｍａｌｕｓ  ｌｉｍｏｎｉｃｕｓ、Ｔｙｐｈｌｏｄｒｏｍａｌｕｓ属、例えば、Ｔｙｐｈｌｏｄｒｏｍａｌｕｓ  ａｒｉｐｏ、Ｔｙｐｈｌｏｄｒｏｍａｌｕｓ  ｌａｉｌａ又はＴｙｐｈｌｏｄｒｏｍａｌｕｓ  ｐｅｒｅｇｒｉｎｕｓ、Ｔｙｐｈｌｏｄｒｏｍｉｐｓ属、例えば、Ｔｙｐｈｌｏｄｒｏｍｉｐｓ  ｍｏｎｔｄｏｒｅｎｓｉｓ、Ｐｈｙｔｏｓｅｉｕｌｕｓ属、例えば、Ｐｈｙｔｏｓｅｉｕｌｕｓ  ｐｅｒｓｉｍｉｌｉｓ、Ｐｈｙｔｏｓｅｉｕｌｕｓ  ｍａｃｒｏｐｉｌｉｓ、Ｐｈｙｔｏｓｅｉｕｌｕｓ  ｌｏｎｇｉｐｅｓ、Ｐｈｙｔｏｓｅｉｕｌｕｓ  ｆｒａｇａｒｉａｅからのもの、
Ｔｙｐｈｌｏｄｒｏｍｉｎａｅ亜科、例えば、Ｇａｌｅｎｄｒｏｍｕｓ属、例えば、Ｇａｌｅｎｄｒｏｍｕｓ  ｏｃｃｉｄｅｎｔａｌｉｓ、Ｔｙｐｈｌｏｄｒｏｍｕｓ属、例えば、Ｔｙｐｈｌｏｄｒｏｍｕｓ  ｐｙｒｉ、Ｔｙｐｈｌｏｄｒｏｍｕｓ  ｄｏｒｅｅｎａｅ又はＴｙｐｈｌｏｄｒｏｍｕｓ  ａｔｈｉａｓａｅからのもの、
ｉｉ）Ａｓｃｉｄａｅ、例えば、Ｐｒｏｃｔｏｌａｅｌａｐｓ  ｐｙｇｍａｅｕｓ（Ｍｕｌｌｅｒ）等のＰｒｏｃｔｏｌａｅｌａｐｓ属；Ｂｌａｔｔｉｓｏｃｉｕｓ属、例えば、Ｂｌａｔｔｉｓｏｃｉｕｓ  ｔａｒｓａｌｉｓ（Ｂｅｒｌｅｓｅ）、Ｂｌａｔｔｉｓｏｃｉｕｓ  ｋｅｅｇａｎｉ（Ｆｏｘ）；Ｌａｓｉｏｓｅｉｕｓ属、例えば、Ｌａｓｉｏｓｅｉｕｓ  ｆｉｍｅｔｏｒｕｍ  Ｋａｒｇ、Ｌａｓｉｏｓｅｉｕｓ  ｆｌｏｒｉｄｅｎｓｉｓ  Ｂｅｒｌｅｓｅ、Ｌａｓｉｏｓｅｉｕｓ  ｂｉｓｐｉｎｏｓｕｓ  Ｅｖａｎｓ、Ｌａｓｉｏｓｅｉｕｓ  ｄｅｎｔａｔｕｓ  Ｆｏｘ、Ｌａｓｉｏｓｅｉｕｓ  ｓｃａｐｕｌａｔｕｓ（Ｋｅｎｅｔｔ）、Ｌａｓｉｏｓｅｉｕｓ  ａｔｈｉａｓａｅ  Ｎａｗａｒ＆Ｎａｓｒ；Ａｒｃｔｏｓｅｉｕｓ属、例えば、Ａｒｃｔｏｓｅｉｕｓ  ｓｅｍｉｓｃｉｓｓｕｓ（Ｂｅｒｌｅｓｅ）；Ｐｒｏｔｏｇａｍａｓｅｌｌｕｓ属、例えば、Ｐｒｏｔｏｇａｍａｓｅｌｌｕｓ  ｄｉｏｓｃｏｒｕｓ  Ｍａｎｓｏｎからのもの、
ｉｉｉ）Ｌａｅｌａｐｉｄａｅ、例えば、Ｓｔｒａｔｉｏｌａｅｌａｐｓ属、例えば、Ｓｔｒａｔｉｏｌａｅｌａｐｓ  ｓｃｉｍｉｔｕｓ（Ｗｏｍｅｒｓｌｅｙ）（Ｈｙｐｏａｓｐｉｓ属にも置かれる）；Ｇｅｏｌａｅｌａｐｓ、例えば、Ｇｅｏｌａｅｌａｐｓ  ａｃｕｌｅｉｆｅｒ（Ｃａｎｅｓｔｒｉｎｉ）（Ｈｙｐｏａｓｐｉｓ属にも置かれる）；Ａｎｄｒｏｌａｅｌａｐｓ、例えば、Ａｎｄｒｏｌａｅｌａｐｓ  ｃａｓａｌｉｓ  ｃａｓａｌｉｓ（Ｂｅｒｌｅｓｅ）からのもの、
ｉｖ）Ｍａｃｒｏｃｈｅｌｉｄａｅ、例えば、Ｍａｃｒｏｃｈｅｌｅｓ属、例えば、Ｍａｃｒｏｃｈｅｌｅｓ  ｒｏｂｕｓｔｕｌｕｓ（Ｂｅｒｌｅｓｅ）、Ｍａｃｒｏｃｈｅｌｅｓ  ｍｕｓｃａｅｄｏｍｅｓｔｉｃａｅ（Ｓｃｏｐｏｌｉ）、Ｍａｃｒｏｃｈｅｌｅｓ  ｍａｔｒｉｕｓ（Ｈｕｌｌ）からのもの、
ｖ）Ｐａｒａｓｉｔｉｄａｅ、例えば、Ｐｅｒｇａｍａｓｕｓ属、例えば、Ｐｅｒｇａｍａｓｕｓ  ｑｕｉｓｑｕｉｌｉａｒｕｍ  Ｃａｎｅｓｔｒｉｎｉ；Ｐａｒａｓｉｔｕｓ、例えば、Ｐａｒａｓｉｔｕｓ  ｆｉｍｅｔｏｒｕｍ（Ｂｅｒｌｅｓｅ）、Ｐａｒａｓｉｔｕｓ  ｂｉｔｕｂｅｒｏｓｕｓ  Ｋａｒｇからのもの、
から選択されるＭｅｓｏｓｔｉｇｍａｔｉｄダニ種、
ｖｉ）Ｔｙｄｅｉｄａｅ、例えば、Ｈｏｍｅｏｐｒｏｎｅｍａｔｕｓ属、例えば、Ｈｏｍｅｏｐｒｏｎｅｍａｔｕｓ  ａｎｃｏｎａｉ（Ｂａｋｅｒ）；Ｔｙｄｅｕｓ属、例えば、Ｔｙｄｅｕｓ  ｌａｍｂｉ（Ｂａｋｅｒ）、Ｔｙｄｅｕｓ  ｃａｕｄａｔｕｓ（Ｄｕｇｅｓ）、Ｔｙｄｅｕｓ  ｌａｍｂｉ（Ｂａｋｅｒ）；Ｐｒｏｎｅｍａｔｕｓ属、例えば、Ｐｒｏｎｅｍａｔｕｓ  ｕｂｉｑｕｉｔｏｕｓ（ＭｃＧｒｅｇｏｒ）からのもの、
ｖｉｉ）Ｃｈｅｙｌｅｔｉｄａｅ、例えば、Ｃｈｅｙｌｅｔｕｓ属、例えば、Ｃｈｅｙｌｅｔｕｓ  ｅｒｕｄｉｔｕｓ（Ｓｃｈｒａｎｋ）、Ｃｈｅｙｌｅｔｕｓ  ｍａｌａｃｃｅｎｓｉｓ  Ｏｕｄｅｍａｎｓからのもの、
ｖｉｉｉ）Ｃｕｎａｘｉｄａｅ、例えば、Ｃｏｌｅｏｓｃｉｒｕｓ属、例えば、Ｃｏｌｅｏｓｃｉｒｕｓ  ｓｉｍｐｌｅｘ（Ｅｗｉｎｇ）、Ｃｕｎａｘａ属、例えば、Ｃｕｎａｘａ  ｓｅｔｉｒｏｓｔｒｉｓ（Ｈｅｒｍａｎｎ）からのもの、
ｉｘ）Ｅｒｙｔｈｒａｅｉｄａｅ、例えば、Ｂａｌａｕｓｔｉｕｍ属、例えば、Ｂａｌａｕｓｔｉｕｍ  ｐｕｔｍａｎｉ  Ｓｍｉｌｅｙ、Ｂａｌａｕｓｔｉｕｍ  ｍｅｄｉｃａｇｏｅｎｓｅ  Ｍｅｙｅｒ＆Ｒｙｋｅ、Ｂａｌａｕｓｔｉｕｍ  ｍｕｒｏｒｕｍ（Ｈｅｒｍａｎｎ）からのもの、
ｘ）Ｓｔｉｇｍａｅｉｄａｅ、例えば、Ａｇｉｓｔｅｍｕｓ属、例えば、Ａｇｉｓｔｅｍｕｓ  ｅｘｓｅｒｔｕｓ  Ｇｏｎｚａｌｅｚ；Ｚｅｔｚｅｌｌｉａ属、例えば、Ｚｅｔｚｅｌｌｉａｍａｌｉ（Ｅｗｉｎｇ）からのもの、
からのものなどの、Ｐｒｏｓｔｉｇｍａｔｉｄダニ種
から選択される、請求項１に記載の組成物。
【請求項３】
前記少なくとも１種のＡｓｔｉｇｍａｔｉｄダニ種が、
ｉ）Ｃａｒｐｏｇｌｙｐｈｉｄａｅ、例えば、Ｃａｒｐｏｇｌｙｐｈｕｓ属、例えば、Ｃａｒｐｏｇｌｙｐｈｕｓ  ｌａｃｔｉｓからのもの、
ｉｉ）Ｐｙｒｏｇｌｙｐｈｉｄａｅ、例えば、Ｄｅｒｍａｔｏｐｈａｇｏｉｄｅｓ属、例えば、Ｄｅｒｍａｔｏｐｈａｇｏｉｄｅｓ  ｐｔｅｒｏｎｙｓｉｎｕｓ、Ｄｅｒｍａｔｏｐｈａｇｏｉｄｅ  ｓｆａｒｉｎａｅ；Ｅｕｒｏｇｌｙｐｈｕｓ属、例えば、Ｅｕｒｏｇｌｙｐｈｕｓ  ｌｏｎｇｉｏｒ、Ｅｕｒｏｇｌｙｐｈｕｓ  ｍａｙｎｅｉ；Ｐｙｒｏｇｌｙｐｈｕｓ属、例えば、Ｐｙｒｏｇｌｙｐｈｕｓ  ａｆｒｉｃａｎｕｓからのもの、
ｉｉｉ）Ｇｌｙｃｙｐｈａｇｉｄａｅ、例えば、Ｃｔｅｎｏｇｌｙｐｈｉｎａｅ亜科、Ｄｉａｍｅｓｏｇｌｙｐｈｕｓ属、例えば、Ｄｉａｍｅｓｏｇｌｙｐｈｕｓ  ｉｎｔｅｒｍｅｄｉｕｓｏｒ、Ｃｔｅｎｏｇｌｙｐｈｕｓ属、例えば、Ｃｔｅｎｏｇｌｙｐｈｕｓ  ｐｌｕｍｉｇｅｒ、Ｃｔｅｎｏｇｌｙｐｈｕｓ  ｃａｎｅｓｔｒｉｎｉｉ、Ｃｔｅｎｏｇｌｙｐｈｕｓ  ｐａｌｍｉｆｅｒ；Ｇｌｙｃｙｐｈａｇｉｎａｅ亜科、例えば、Ｂｌｏｍｉａ属、例えば、Ｂｌｏｍｉａ  ｆｒｅｅｍａｎｉ又はＧｌｙｃｙｐｈａｇｕｓ属、例えば、Ｇｌｙｃｙｐｈａｇｕｓ  ｏｒｎａｔｕｓ、Ｇｌｙｃｙｐｈａｇｕｓ  ｂｉｃａｕｄａｔｕｓ、Ｇｌｙｃｙｐｈａｇｕｓ  ｐｒｉｖａｔｕｓ、Ｇｌｙｃｙｐｈａｇｕｓ  ｄｏｍｅｓｔｉｃｕｓ又はＬｅｐｉｄｏｇｌｙｐｈｕｓ属、例えば、Ｌｅｐｉｄｏｇｌｙｐｈｕｓ  ｍｉｃｈａｅｌｉ、Ｌｅｐｉｄｏｇｌｙｐｈｕｓ  ｆｕｓｔｉｆｅｒ、Ｌｅｐｉｄｏｇｌｙｐｈｕｓ  ｄｅｓｔｒｕｃｔｏｒ又はＡｕｓｔｒｏｇｌｙｃｙｐｈａｇｕｓ属、例えば、Ａｕｓｔｒｏｇｌｙｃｙｐｈａｇｕｓ  ｇｅｎｉｃｕｌａｔｕｓ；Ａｅｒｏｇｌｙｐｈｉｎａｅ亜科、例えば、Ａｅｒｏｇｌｙｐｈｕｓ属、例えば、Ａｅｒｏｇｌｙｐｈｕｓ  ｒｏｂｕｓｔｕｓ；Ｌａｂｉｄｏｐｈｏｒｉｎａｅ亜科、例えば、Ｇｏｈｉｅｒｉａ属、例えば、Ｇｏｈｉｅｒｉａ．  ｆｕｓｃａ；Ｎｙｃｔｅｒｉｇｌｙｐｈｉｎａｅ亜科、例えば、Ｃｏｐｒｏｇｌｙｐｈｕｓ属、例えば、Ｃｏｐｒｏｇｌｙｐｈｕｓ  ｓｔａｍｍｅｒｉ、又はＣｈｏｒｔｏｇｌｙｐｈｉｄａｅ亜科、例えば、Ｃｈｏｒｔｏｇｌｙｐｈｕｓ属、例えば、Ｃｈｏｒｔｏｇｌｙｐｈｕｓ  ａｒｃｕａｔｕｓからのもの、より好ましくは、Ｇｌｙｃｙｐｈａｇｉｎａｅ亜科から選択され、より好ましくは、Ｇｌｙｃｙｐｈａｇｕｓ属又はＬｅｐｉｄｏｇｌｙｐｈｕｓ属から選択され、最も好ましくは、Ｇｌｙｃｙｐｈａｇｕｓ  ｄｏｍｅｓｔｉｃｕｓ又はＬｅｐｉｄｏｇｌｙｐｈｕｓ  ｄｅｓｔｒｕｃｔｏｒから選択される、
ｉｖ）Ａｃａｒｉｄａｅ、例えば、Ｔｙｒｏｐｈａｇｕｓ属、例えば、Ｔｙｒｏｐｈａｇｕｓ  ｐｕｔｒｅｓｃｅｎｔｉａｅ、Ｔｙｒｏｐｈａｇｕｓ  ｔｒｏｐｉｃｕｓ；Ａｃａｒｕｓ属、例えば、Ａｃａｒｕｓ  ｓｉｒｏ、Ａｃａｒｕｓ  ｆａｒｒｉｓ、Ａｃａｒｕｓ  ｇｒａｃｉｌｉｓ；Ｌａｒｄｏｇｌｙｐｈｕｓ属、例えば、Ｌａｒｄｏｇｌｙｐｈｕｓ  ｋｏｎｏｉ；Ｔｈｙｒｅｏｐｈａｇｕｓ  ｅｎｔｏｍｏｐｈａｇｕｓ等のＴｈｙｒｅｏｐｈａｇｕｓ属；Ａｌｅｕｒｏｇｌｙｐｈｕｓ属、例えば、Ａｌｅｕｒｏｇｌｙｐｈｕｓ  ｏｖａｔｕｓからのもの、
ｖ）Ｓｕｉｄａｓｉｉｄａｅ、例えば、Ｓｕｉｄａｓｉａ  ｎｅｓｂｉｔｉ、Ｓｕｉｄａｓｉａ  ｐｏｎｔｉｆｉｃａ又はＳｕｉｄａｓｉａ  ｍｅｄａｎｅｎｓｉｓ等のＳｕｉｄａｓｉａ属からのもの、
から選択される種を含む、請求項１又は２に記載の組成物。
【請求項４】
Ａｓｔｉｇｍａｔｉｄ個体に対する捕食性個体、好ましくはＰｈｙｔｏｓｅｉｉｄ個体の比率が、１００：１〜１：１００、例えば、１：１〜１：５０、例えば、１：４、１：１０又は１：２０又は１：３０である、請求項１〜３のいずれか１項に記載の組成物。
【請求項５】
担体及び、担体１ｍｌ当たり１０以上、５０以上、１００以上、１５０以上、２００以上、２５０、３００以上、３５０以上、４００以上、最大４５０匹の個体、好ましくはＰｈｙｔｏｓｅｉｉｄ個体を含有する、請求項１〜４のいずれかに記載の組成物。
【請求項６】
前記不動化されたＡｓｔｉｇｍａｔｉｄ個体の部分が、１０％以上、２０％以上、３０％以上、４０％以上、５０％以上、６０％以上、７０％以上、８０％以上、９０％以上、９５％以上又は９７％以上である、請求項１〜５のいずれかに記載の組成物。
【請求項７】
前記不動化されたＡｓｔｉｇｍａｔｉｄ個体が、凍結、加熱、低温ショック又は熱ショック処理等の熱処理；ガス処理又は燻蒸処理、例えばガス窒息又はアルコール燻蒸処理若しくはエーテル燻蒸処理、好ましくは、エタノール燻蒸処理等の化学処理；ＵＶ、マイクロ波又はＸ線処理等の放射線照射処理；激しい振盪又は撹拌、衝突又は超音波処理等の機械的処理、感電死等の電気的処理；接着剤による不動化；又は水若しくは食物欠乏に誘導される等の飢餓による不動化から選択される不動化処理によって不動化されている、請求項１〜６のいずれか１項に記載の組成物。
【請求項８】
前記ダニ種の個体のための前記担体が、担体要素、好ましくは、１．０〜１５．０ｍｍ、例えば３．０〜９．０ｍｍの最長軸を有する担体要素を含み、前記担体要素の積み重なりが、捕食性ダニ個体に適したシェルターを含む、請求項１〜７のいずれか１項に記載の組成物。
【請求項９】
前記シェルターが、捕食性個体をその周囲から遮蔽するための区域を含み、捕食性個体がこの区域に位置する場合、前記区域において、前記担体要素の材料が、直交性又は逆向きの関係を有する少なくとも３方向において、好ましくは、このような方向の少なくとも４方向、最も好ましくは、このような方向の少なくとも５方向において、捕食性個体をその周囲から遮蔽する、請求項８に記載の組成物。
【請求項１０】
前記シェルターが、窪み、凹部、孔、チャンバ、空洞、隙間、凹み、ポケット、チューブにより形成される空隙等の空隙を含む、請求項８又は９に記載の組成物。
【請求項１１】
担体要素が、もみ殻、好ましくは、草種（イネ科植物）からのもみ殻、最も好ましくは、コムギ、オリザ種、ライムギ、カラスムギ又はアワからのもみ殻、特に、アワからのもみ殻等の穀類種からのもみ殻に由来する、請求項８〜１０のいずれか１項に記載の組成物。
【請求項１２】
捕食性ダニ種、好ましくは、Ｍｅｓｏｓｔｉｇｍａｔｉｄダニ種又はＰｒｏｓｔｉｇｍａｔｉｄダニ種から選択される捕食性ダニ種を飼育するための方法であって、
（ｉ）請求項１〜１１に記載の組成物を用意するステップと、
（ｉｉ）前記捕食性ダニ個体群の個体に、Ａｓｔｉｇｍａｔｉｄ個体群の個体を捕食させるステップと
を含む方法。
【請求項１３】
捕食性ダニ種、好ましくは、Ｍｅｓｏｓｔｉｇｍａｔｉｄダニ種又はＰｒｏｓｔｉｇｍａｔｉｄダニ種から選択される捕食性ダニ種を飼育するための、請求項１〜１１に記載の組成物の使用。
【請求項１４】
捕食性ダニ種、好ましくは、Ｍｅｓｏｓｔｉｇｍａｔｉｄダニ種又はＰｒｏｓｔｉｇｍａｔｉｄダニ種から選択される捕食性ダニ種を飼育するための飼育システムであって、請求項１〜１１のいずれか１項に記載の組成物を収容する容器、好ましくは、前記捕食性ダニ種の少なくとも１つの運動性である生活段階のための出口、より好ましくは、前記少なくとも１つの運動性である生活段階の持続的な放出のもたらすのに適した出口を含む容器を含むシステム。
【請求項１５】
作物の有害生物を防除するための、請求項１〜１１のいずれかに記載の組成物又は請求項１５に記載の飼育システムの使用。
【請求項１６】
作物における生物学的有害生物を防除するための方法であって、前記作物に請求項１〜１１に記載の組成物を与えるステップを含む方法。